(57)【要約】【課題】  モデムを備えた通信端末装置において、安価で、且つ、簡単な構成で防犯機能を追加することができる通信端末装置を提供する。【解決手段】デジタル信号を公衆電話回線１７を介して送信するためのアナログ信号に変換する変調と公衆電話回線１７を介して受信したアナログ信号をデジタル信号に変換する復調を行うモデム１５を備えた通信端末装置１であって、室内の音声信号を集音して所定の出力先に出力する集音器１６と、該集音器１６が集音した音声信号がモデム１５に出力された場合に、当該モデム１５により変換されたデジタル信号が異常音であるか否かを判断する判断手段２と、該手段２が前記デジタル信号が異常音であると判断した場合に、所定の外部通信端末Ａに異常発生を通知する通知手段２、１５と、を備える。【選択図】      図２
2005354352.tif 000002
【特許請求の範囲】
【請求項１】
デジタル信号を公衆電話回線を介して送信するためのアナログ信号に変換する変調と公衆電話回線を介して受信したアナログ信号をデジタル信号に変換する復調を行うモデムを備えた通信端末装置であって、
公衆電話回線からの呼出信号を検出する呼出検出手段と、公衆電話回線と前記モデム又は前記呼出検出手段との接続を切り替える切替手段と、該手段により公衆電話回線と前記モデムとが接続された状態で通信を行う通信手段と、室内の音声信号を集音して所定の出力先に出力する集音器と、該集音器が集音した音声信号が前記モデムに出力された場合に、当該モデムにより変換されたデジタル音声信号が異常音であるか否かを判断する判断手段と、該手段が前記デジタル音声信号が異常音であると判断した場合に、所定の外部通信端末に異常発生を通知する通知手段と、を備えることを特徴とする通信端末装置。
【請求項２】
前記異常音のパターンを記憶する記憶手段を備え、前記判断手段は、前記記憶手段が記憶している前記異常音のパターンに基づいて、前記デジタル音声信号が異常音であるか否かを判断することを特徴とする請求項１記載の通信端末装置。
【請求項３】
前記集音器と前記モデムとを接続又は該接続を遮断する接続遮断手段と、防犯モード又は通常モードのいずれかの指定を受付ける受付手段と、該手段が受付けた指定に基づいて前記防犯モード又は前記通常モードのいずれかを設定する設定手段と、を備え、
前記設定手段により前記防犯モードに設定されている場合、前記接続遮断手段は、前記集音器と前記モデムとを接続し、前記集音器は、集音した前記音声信号を前記モデムに出力し、
前記設定手段により前記通常モードに設定されている場合、前記接続遮断手段は、前記集音器と前記モデムとの接続を遮断することを特徴とする請求項１又は２記載の通信端末装置。
【請求項４】
前記判断手段が前記デジタル音声信号が異常音であると判断した場合に、異常音が継続する時間を計測する計測手段を備え、
前記通知手段は、前記計測手段が計測した時間が所定の時間を超えた場合に、前記所定の外部通信端末に異常発生を通知することを特徴とする請求項１乃至３のいずれか１に記載の通信端末装置。
【請求項５】
前記通知手段は、公衆電話回線を介して、前記所定の外部通信端末に異常発生を通知することを特徴とする請求項１乃至４のいずれか１に記載の通信端末装置。
【請求項６】
前記通知手段は、前記所定の外部通信端末に前記異常発生を通知するとともに、前記集音器が集音した音声信号を送信することを特徴とする請求項１乃至５のいずれか１に記載の通信端末装置。
【請求項７】
前記判断手段が前記デジタル音声信号が異常音であると判断した場合に、画像撮影装置に室内の画像データを撮影させるとともにそれを取得する取得手段を備え、
前記通知手段は、前記所定の外部通信端末に前記異常発生を通知するとともに、前記取得手段により取得した前記室内の画像データを送信することを特徴とする請求項１乃至５のいずれか１に記載の通信端末装置。
【発明の詳細な説明】
【技術分野】
【０００１】
本発明は、通信端末装置に関し、詳しくは、送受信データの変調又は復調を行うモデムを備えた通信端末装置に関する。
【背景技術】
【０００２】
ファクシミリ装置などの通信端末装置は、電話回線（ＰＳＴＮ：Public Switched Telephone Network）の閉結及び開放を行う回線網制御装置（ＮＣＵ：Network Control Unit）、画像データの変調及び復調を行うモデム等を備えており、ＰＳＴＮを介して外部の装置との間で画像データをファクシミリ送受信するものである。近年、このように外部の装置との通信手段を備える通信端末装置を防犯装置として利用することが考えられており、例えば、室内の異常を検知してその旨を外部の装置に通知する防犯機能を備えた通信端末装置が提案されている（例えば、特許文献１参照）。
【０００３】
特許文献１の通信端末装置は、ファクシミリ送受信機能を備える通信端末装置に侵入者等の有無を検知するための超音波センサ、超音波センサの検知結果に基づいて異常の有無を判断する異常検知回路等が付加されている。この通信端末装置は、超音波センサの検知結果に基づいて異常検知回路が異常があると判断した場合に、予め設定された外部のファクシミリ装置に異常があることを知らせるメッセージが記載された原稿の画像データをファクシミリ送信することにより、外部の装置に異常があったことを通知する。
【特許文献１】特開平６−３３４７９６号公報
【発明の開示】
【発明が解決しようとする課題】
【０００４】
しかしながら、特許文献１の通信端末装置は、超音波センサと異常検知回路のような高価な装置を追加する必要があり、防犯機能を実現するためにコストがかかるという問題点がある。また、超音波センサと異常検知回路を組み込まなければならないため、構成が複雑になる。
【０００５】
本発明は、以上のような問題点に鑑みてなされたものであり、モデムを備えた通信端末装置において、安価で、且つ、簡単な構成で防犯機能を追加することができる通信端末装置を提供することを目的とする。
【課題を解決するための手段】
【０００６】
上記目的を達成するための請求項１記載の通信端末装置は、デジタル信号を公衆電話回線を介して送信するためのアナログ信号に変換する変調と公衆電話回線を介して受信したアナログ信号をデジタル信号に変換する復調を行うモデムを備えた通信端末装置であって、公衆電話回線からの呼出信号を検出する呼出検出手段と、公衆電話回線と前記モデム又は前記呼出検出手段との接続を切り替える切替手段と、該手段により公衆電話回線と前記モデムとが接続された状態で通信を行う通信手段と、室内の音声信号を集音して所定の出力先に出力する集音器と、該集音器が集音した音声信号が前記モデムに出力された場合に、当該モデムにより変換されたデジタル音声信号が異常音であるか否かを判断する判断手段と、該手段が前記デジタル音声信号が異常音であると判断した場合に、所定の外部通信端末に異常発生を通知する通知手段と、を備えることにある。
【０００７】
請求項２記載の通信端末装置は、請求項１記載の通信端末装置において、前記異常音のパターンを記憶する記憶手段を備え、前記判断手段は、前記記憶手段が記憶している前記異常音のパターンに基づいて、前記デジタル音声信号が異常音であるか否かを判断することにある。
【０００８】
請求項３記載の通信端末装置は、請求項１又は２記載の通信端末装置において、前記集音器と前記モデムとを接続又は該接続を遮断する接続遮断手段と、防犯モード又は通常モードのいずれかの指定を受付ける受付手段と、該手段が受付けた指定に基づいて前記防犯モード又は前記通常モードのいずれかを設定する設定手段と、を備え、前記設定手段により前記防犯モードに設定されている場合、前記接続遮断手段は、前記集音器と前記モデムとを接続し、前記集音器は、集音した前記音声信号を前記モデムに出力し、前記設定手段により前記通常モードに設定されている場合、前記接続遮断手段は、前記集音器と前記モデムとの接続を遮断することにある。
【０００９】
請求項４記載の通信端末装置は、請求項１乃至３のいずれか１に記載の通信端末装置において、前記判断手段が前記デジタル音声信号が異常音であると判断した場合に、異常音が継続する時間を計測する計測手段を備え、前記通知手段は、前記計測手段が計測した時間が所定の時間を超えた場合に、前記所定の外部通信端末に異常発生を通知することにある。
【００１０】
請求項５記載の通信端末装置は、請求項１乃至４のいずれか１に記載の通信端末装置において、前記通知手段は、公衆電話回線を介して、前記所定の外部通信端末に異常発生を通知することにある。
【００１１】
請求項６記載の通信端末装置は、請求項１乃至５のいずれか１に記載の通信端末装置において、前記通知手段は、前記所定の外部通信端末に前記異常発生を通知するとともに、前記集音器が集音した音声信号を送信することにある。
【００１２】
請求項７記載の通信端末装置は、請求項１乃至５のいずれか１に記載の通信端末装置において、前記判断手段が前記デジタル音声信号が異常音であると判断した場合に、画像撮影装置に室内の画像データを撮影させるとともにそれを取得する取得手段を備え、前記通知手段は、前記所定の外部通信端末に前記異常発生を通知するとともに、前記取得手段により取得した前記室内の画像データを送信することにある。
【発明の効果】
【００１３】
請求項１記載の通信端末装置によれば、室内の音声信号を取り込むために通信端末装置に既存のモデムを利用することにより、集音器を追加するだけで防犯機能を実現することができる。したがって、安価で、且つ、簡単な構成で通信端末装置に防犯機能を追加することができる。
【００１４】
請求項２記載の通信端末装置によれば、異常音のパターンに基づいて、室内の音声信号が異常音であるか否かを判断するので、異常音の誤検出を防止することができる。また、異常音のパターンとして、例えば、防犯ブザーのパターンを予め記憶しておくことにより、防犯ブザーと組み合わせて防犯機能を実現することができる。
【００１５】
請求項３記載の通信端末装置によれば、ユーザは、防犯モード又は通常モードの何れかを指定することができるので、例えば昼間など、室内に人がいる場合には通常モードを指定することにより、通信端末装置による異常音の誤検出を防止することができる。
【００１６】
請求項４記載の通信端末装置によれば、異常音が所定の時間継続していなければ外部通信端末に異常発生を通知しないので、異常音を誤検出して外部通信端末に異常発生を通知することを防止することができる。
【００１７】
請求項５記載の通信端末装置によれば、公衆電話回線を介することにより、容易に外部通信端末に異常発生を通知することができる。
【００１８】
請求項６記載の通信端末装置によれば、ユーザは、通信端末装置が設置されている室内の音を外部通信端末を使用して聞くことにより、室内でどのような異常が発生しているかを認識し易くなるという利点がある。
【００１９】
請求項７記載の通信端末装置によれば、ユーザは、通信端末装置が設置されている室内の画像を外部通信端末を使用して見ることにより、室内でどのような異常が発生しているかを認識し易くなるという利点がある。
【発明を実施するための最良の形態】
【００２０】
以下、本発明の実施形態に係る通信端末装置１を図面に基づいて説明する。通信端末装置１は、図１に例示するように、制御部（ＭＰＵ：Microprocessing Unit）２、ＲＯＭ（Read Only Memory）３、原稿読取部４、コーデック５、画像メモリ６、記録部７、操作部８、表示部９、通信部１０、ＲＡＭ（Random Access Memory）１１、及びＬＡＮ Ｉ／Ｆ（Local Area Network Interface）１２を備えたものであって、各部２乃至１２はバス１３によって通信可能に接続されている。
【００２１】
制御部２は、ＲＯＭ３に格納された制御プログラムに従って、この通信端末装置１を構成する各部を制御するものであり、このＲＯＭ３の制御プログラムは外部からの書き換えが可能である。原稿読取部４は、原稿の画像を読取って画像データを出力するものであり、図示しないがＣＣＤ（Charge Coupled Device）等のイメージセンサや光源等の光学系、フラットベッドスキャナ（ＦＢＳ：Flat Bed Scanner）や原稿自動供給装置（ＡＤＦ：Automatic Document Feeder）等の原稿供給機構等を有して構成されている。
【００２２】
コーデック５は、ファクシミリ送受信等のために画像データの符号化及び復号を行うものである。すなわち、原稿読取部４で読取られた画像データをＪＰＥＧ（Joint Photographic Experts Group）、ＭＨ（Modified Huffman）、ＭＲ（Modified Read）、ＭＭＲ（Modified Modified Read）、ＪＢＩＧ（Joint Bi-level Image Group）方式等により符号化し、符号化されている画像データを復号する。また、コンピュータで一般的に使用される画像フォーマットであるＴＩＦＦ（Tagged Image File Format）形式やＰＤＦ（Portable Document Format）形式にも対応して画像データを符号化、復号する。画像メモリ６は、原稿読取部４から直接出力された画像データ、コーデック５において符号化された画像データの他、ファクシミリ送信又はファクシミリ受信した画像データを蓄積する。
【００２３】
記録部７は、原稿読取部４において読取られた画像データ、ファクシミリ送受信した画像データ等の画像を用紙に記録するものである。この記録部７における記録方式としては、例えば、電子写真方式を用いることができる。操作部８は、図示しないが原稿読取部４に原稿の読取開始を指示するためのスタートキー、ファクシミリ番号やコピー部数等を入力するためのテンキー、ワンタッチダイヤルに予め登録された宛先を指定するためのワンタッチキー、各種設定を行うためのカーソルキーなど、表示部９と連動した各種操作キーを備えている。また、この操作部８は、防犯モード又は通常モードの何れかの指定を受付ける受付手段として機能する。なお、ユーザによる防犯モード又は通常モードの何れかの指定は、操作部８からの操作に限定されない。例えば、通信端末装置１と後述するＰＳＴＮを介して接続される外部通信端末や後述するＬＡＮ上のＰＣから、ユーザが所定のコマンドを入力することにより、通常モード又は防犯モードの何れかの指定を行うことも可能である。表示部９は、各種の設定状態や通信端末装置１の動作状態などを文字や図形などで表示する液晶表示装置（ＬＣＤ：Liquid Crystal Display）などを備えている。なお、この表示部９を上記操作部８の操作機能を兼ね備えたタッチパネル付きのＬＣＤとしてもよい。
【００２４】
通信部１０は、ＮＣＵ（Network Control Unit）１４及びモデム１５を備えている。ＮＣＵ１４は、電話回線を制御して電話をかけたり、切ったりする回線網制御装置であり、ＰＳＴＮ（Public Switched Telephone Network、公衆電話回線）１７に接続されている。また、ＮＣＵ１４には、室内の音声信号を集音する集音器１６が接続されている。なお、ＰＳＴＮ１７には、外部通信端末Ａが接続されている。モデム１５は、例えばＩＴＵ−Ｔ（国際電気通信連合電気通信標準化部門）の勧告Ｖ．３４規格又はこれと同様のものに従った送受信データを変調及び復調、すなわち、デジタル信号をＰＳＴＮ１７を介して送信するためのアナログ信号に変換する変調と、ＰＳＴＮ１７を介して受信したアナログ信号をデジタル信号に変換する復調と、を行うファックスモデムである。このモデム１５は、ファクシミリ送信時には、デジタルの原稿の画像データを音声帯域のアナログ信号に変換（変調）し、ファクシミリ受信時には、ファクシミリ受信した音声帯域のアナログ信号をデジタルの原稿の画像データに変換（復調）する。モデム１５は、上記の変調機能を利用して、集音器１６がＮＣＵ１４を介して出力したアナログ音声信号をデジタル音声信号に変換する。なお、モデム１５は、上記のファックスモデムに限定されず、ＡＤＳＬ（Asymmetric Digital Subscriber Line）モデムやデータモデムであってもよい。
【００２５】
ＲＡＭ１１は、制御部２の主メモリ、ワークエリア等として機能する。また、ユーザによる操作部８等からの入力に基づいて、防犯モード又は通常モードのいずれかを設定する設定手段として機能する。通常モードは、原稿の画像データを読取ってその画像を用紙に記録するコピー機能や、外部の装置との間で原稿の画像データをファクシミリ送受信する機能を実行するモードであり、防犯モードは、室内の音声信号を集音して異常の有無を判断し、異常があったと判断した場合には所定の外部通信端末に異常発生を通知するモードである。なお、通常モード又は防犯モードのいずれかの設定は、ユーザによる操作部８等からの入力により切り替えられるが、通常モード又は防犯モードの切替を時間に応じて行うことも可能である。例えば、通常モードの状態から３時間後に防犯モードに切り替わるように設定したり、夜の１０時から朝の８時までは防犯モードとなるように設定すること等が操作部８からの操作により可能である。
【００２６】
ＬＡＮ Ｉ／Ｆ１２は、ＬＡＮ（Local Area Network）１８と通信端末装置１とを通信可能に接続するインターフェースである。ＬＡＮ１８には、クライアントＰＣ１９が設置されており、クライアントＰＣ１９から通信端末装置１が有する各種機能を利用することができるようになっている。また、ＬＡＮ１８には、メールサーバ２０、ルータ２１も設置されており、通信端末装置１は、インターネット等を通じて他のインターネットファクシミリ装置（不図示）と原稿データが添付された電子メールを送信又は受信するインターネットファクシミリ通信を行うことができる。更に、ＬＡＮ１８には、室内の画像データを撮影する画像撮影装置Ｂが設置されている。なお、制御部２は、この画像撮影装置Ｂに室内の画像データを撮影させるとともにその画像データを取得する取得手段として機能する。具体的には、制御部２は、画像撮影装置Ｂに所定のコマンドを送信して室内の画像データを撮影させてその画像データを取得する。すなわち、画像撮影装置Ｂは、通信端末装置１の制御部２が送信する所定のコマンドを受信して、室内の画像データの撮影を行い、ＬＡＮ１８を介して、撮影した画像データを通信端末装置１に転送する。
【００２７】
上記構成を備える通信端末装置１は、通常モードに設定されている場合には、原稿の画像データを読取ってその画像を用紙に記録するコピー機能や、外部の装置との間で原稿の画像データをファクシミリ送受信する機能を実行し、防犯モードに設定されている場合には、室内の音声信号を集音して異常の有無を判断し、異常があったと判断した場合には外部通信端末Ａに異常発生を通知する機能を実行する。以下、ＮＣＵ１４の構成と該ＮＣＵ１４及びモデム１５の通常モード時と防犯モード時の動作について図２に基づいて説明する。
【００２８】
ＮＣＵ１４は、トランス２２、送信アンプ２３、受信アンプ２４、第１スイッチ２５、第２スイッチ２６、第３スイッチ２７、及び呼出検出装置２８を備えており、モデム１５及び集音器１６がこのＮＣＵ１４に接続されている。また、ＮＣＵ１４は、第３スイッチ２７を介してＰＳＴＮ１７と接続されている。トランス２２は、ＰＳＴＮ１７と通信端末装置１との内部回路を絶縁又は接続するためのものである。送信アンプ２３及び受信アンプ２４は、ファクシミリ送受信する画像データや集音器１６が集音した音声信号を増幅するものである。第１スイッチ２５は、集音器１６と第３スイッチ２７が接続された状態と、集音器１６と第２スイッチ２６が接続された状態とを切り替えるものである。第２スイッチ２６は、第１スイッチ２５と第３スイッチ２７が接続された状態と、モデム１５と第３スイッチ２７が接続された状態とを切り替えるものである。第３スイッチ２７は、ＰＳＴＮ１７とモデム１５、第１スイッチ２５、及び第２スイッチ２６が接続された状態と、ＰＳＴＮ１７と呼出検出装置２８が接続された状態とを切り替えるものである。なお、第１スイッチ２５と第２スイッチ２６は、集音器１６とモデム１５とを接続又は該接続を遮断する接続遮断手段として機能し、第２スイッチ２６と第３スイッチ２７は、ＰＳＴＮ１７とモデム１５又は呼出検出装置（呼出検出手段）２５との接続を切り替える切替手段として機能する。呼出検出装置２８は、ＰＳＴＮ１７からの呼出信号を検出する呼出検出手段として機能し、検出した呼出信号を制御部２に出力するものである。
【００２９】
まず、通常モードでのＮＣＵ１４及びモデム１５の動作について説明する。画像データのファクシミリ送受信を待機している場合、ＮＣＵ１４の第１スイッチ２５、第２スイッチ２６、及び第３スイッチ２７は全てｂ側に切り替えられており、第３スイッチ２７によりＰＳＴＮ１７と呼出検出装置２８が接続された状態となり、呼出検出装置２８によりＰＳＴＮ１７からの呼出信号が検出される。この場合、第１スイッチ２５と第２スイッチ２６によって、集音器１６とモデム１５との接続は遮断されており、集音器１６が集音した音声信号はモデム１５には出力されない。
【００３０】
呼出信号が検出されて画像データのファクシミリ受信を行う場合、ＮＣＵ１４の第３スイッチ２７はｂ側からａ側に切り替えられ、第２スイッチ２６と第３スイッチ２７により、モデム１５とＰＳＴＮ１７が接続される。モデム１５は、外部のファクシミリ装置が送信するコーリングトーン（ＣＮＧ：Calling Tone）の検出や被呼端末識別信号（ＣＥＤ：Called Station Identification）の外部のファクシミリ装置への送出等の所定のシーケンスを行って、ＮＣＵ１４を介して画像データを受信し、受信した画像データを復調する。また、画像データのファクシミリ送信を行う場合も、ＮＣＵ１４の第３スイッチ２７は、ｂ側からａ側に切り替えられ、モデム１５は、コーリングトーンの送出や被呼端末識別信号の検出等の所定のシーケンスを行って、ＮＣＵ１４を介して画像データを送信する。なお、モデム１５には、図示しないが、バンドパスフィルタ（ＢＰＦ：Band-pass filter）が設けられており、バンドパスフィルタが通過させる周波数成分を切り替えて、コーリングトーン等の信号を検出する。
【００３１】
次に、防犯モード時のＮＣＵ１４及びモデム１５の動作について説明する。画像データのファクシミリ送受信を待機するとともに、室内の異常を監視している場合、ＮＣＵ１４の第３スイッチ２７はｂ側に切り替えられており、呼出検出装置２８によってＰＳＴＮ１７からの呼出信号が監視される。また、第１スイッチ２５はｂ側、第２スイッチ２６はａ側に切り替えられており、第１スイッチ２５と第２スイッチ２６によりモデム１５と集音器１６が接続され、集音器１６が集音した音声信号がモデム１５に出力される。モデム１５は、入力されたアナログ音声信号をデジタル音声信号に変換して制御部２に出力する。
【００３２】
なお、制御部２は、モデム１５により変換されたデジタル音声信号が異常音であるか否かを判断する判断手段として機能する。具体的には、異常音（例えば、通信端末装置１が設置されている室内に設けられた不審者を検知する防犯ブザーの音等）を試験的に鳴らして異常音のパターン（周波数、振幅、位相）を予めＲＡＭ１１に記憶しておき、この異常音のパターンに基づいて、制御部２は、デジタル音声信号と異常音のパターンを比較して、デジタル音声信号が異常音であるか否か、すなわち、室内に異常音を検出したか否かを判断する。なお、ＲＡＭ１１に複数の異常音のパターンを予め記憶しておき、ユーザが検出すべき異常音を操作部８等から選択することができるようにしてもよい。
【００３３】
また、制御部２は、デジタル音声信号が異常音であると判断した場合に、所定の外部通信端末に異常発生を通知する。具体的には、デジタル音声信号が異常音であると判断した場合に、ＮＣＵ１４により外部通信端末Ａに接続して異常発生を通知する。すなわち、画像データのファクシミリ送受信を待機するとともに、室内の異常を監視していた状態から、ＮＣＵ１４の第２スイッチ２６はａ側からｂ側に、第３スイッチ２７はｂ側からａ側に切り替えられて、第２スイッチ２６と第３スイッチ２７によりモデム１５とＰＳＴＮ１７が接続される。そして、制御部２は、モデム１５によってＲＡＭ１１に記憶する外部通信端末Ａに発呼し、外部通信端末Ａとの回線が接続されると、ＲＡＭ１１に記憶する異常がある旨を報知する音声メッセージを外部通信端末Ａに送信する。なお、デジタル音声信号が異常音であると判断した場合に、制御部２は、異常音の継続する時間を計測し、計測した時間が所定の時間を超えた場合に、所定の外部通信端末に異常発生を通知するようにしてもよい。この場合、例えば、防犯ブザーの音のように、継続する音のみを検出して、所定の外部通信端末に異常発生を通知するので、異常音の誤検出を防止することができる。
【００３４】
また、制御部２は、集音器１６が集音した音声信号を所定の外部通信端末に送信する。具体的には、集音器１６が集音した音声信号をＮＣＵ１４により外部通信端末Ａに送信する。すなわち、異常発生を通知していた状態から、ＮＣＵ１４の第１スイッチ２５はｂ側からａ側に切り替えられて、第１スイッチ２５と第３スイッチ２７により、集音器１６とＰＳＴＮ１７が接続される。そして、制御部２は、集音器１６が集音した音声信号（アナログ音声信号）を送信アンプ２０で増幅して、外部通信端末Ａに送信する。
【００３５】
以上のように構成された通信端末装置１において、防犯モードに設定された場合に実行される処理動作について、図３及び図４に示すフローチャートに基づいて説明する。なお、以下のフローチャートに基づいて説明する通信端末装置１の処理動作は、ＲＯＭ３に格納されている制御プログラムに基づいて制御部２が発行する命令に従って行われる。
【００３６】
まず、制御部２は、室内の音声信号をモニターする（Ｓ１）。具体的には、集音器１６で室内の音声信号を集音して、ＮＣＵ１４によって集音器１６が集音した音声信号をモデム１５に出力する。次に、制御部２は、異常音を検出したか否かを判断する（Ｓ２）。異常音を検出したと判断した場合（Ｓ２：ＹＥＳ）、制御部２は、異常音が継続する時間の計測を開始する（Ｓ３）。次に、制御部２は、計測した時間がＲＡＭ１１に記憶する所定の時間を超えたか否かを判断する（Ｓ４）。計測した時間が所定の時間を超えていないと判断すると（Ｓ４：ＮＯ）、処理は前記Ｓ２に戻り、異常音を検出していないと判断した場合（Ｓ２：ＮＯ）、制御部２は、計測した時間をリセットして処理を終了する（Ｓ１３）。計測した時間が所定の時間を超えたと判断すると（Ｓ４：ＹＥＳ）、制御部２は、モデム１５によりＲＡＭ１１に記憶している外部通信端末Ａに発呼する（Ｓ５）。外部通信端末Ａとの回線が接続されると（Ｓ６：ＹＥＳ）、制御部２は、異常が発生した旨を報知する情報を送信する（Ｓ７）。例えば、ＲＡＭ１１に記憶している「室内で異常が発生しました。」という音声メッセージをＮＣＵ１４及びモデム１５を介して送信する。
【００３７】
次に、制御部２は、集音器１６が集音した音声信号をＮＣＵ１４によって外部通信端末Ａに送信する（Ｓ８）。ここで、例えば、コマンドの入力を要求するメッセージを送信し、ユーザにより外部通信端末Ａからコマンドが入力されてこれを受付けると（Ｓ９：ＹＥＳ）、制御部２は、コマンドに応じた処理を行う（Ｓ１０）。外部通信端末Ａが送信するコマンドは、プッシュトーン信号等として送信され、モデム１５はこのプッシュトーン信号を検出して、制御部２に出力する。コマンドを受付けた制御部２は、ＲＡＭ１１に記憶している警備会社の電話番号に発呼して所定のメッセージを送信する処理、図外のスピーカーにより所定のベル音やブザー音を鳴動する処理、防犯モードを解除して自装置１を通常モードに移行させる処理等を行う。
【００３８】
外部通信端末Ａとの回線が切断されると（Ｓ１１：ＹＥＳ）、制御部２は、異常が発生した時間やどのような処理を行ったか等のログをＲＡＭ１１に記憶する（Ｓ１２）。そして、制御部２は、計測した時間をリセットする（Ｓ１３）。
【００３９】
また、例えば防犯カメラ等を備える画像撮影装置Ｂが室内に設置されている場合には、通信端末装置１と画像撮影装置Ｂを図１に示すように接続して、画像撮影装置Ｂが撮影した画像データを外部通信端末Ａに送信するようにしてもよい。その場合、図５に示すように、前記Ｓ７の処理のあとに、制御部２は、画像撮影装置Ｂに所定のコマンドを送信する（Ｓ３１）。画像撮影装置Ｂは、このコマンドを受信して室内の画像データの撮影を行い、ＬＡＮ１８を介して、撮影した画像データを通信端末装置１に転送する。画像撮影装置Ｂが転送する画像データを取得すると（Ｓ３２：ＹＥＳ）、制御部２は、取得した画像データをＮＣＵ１４及びモデム１５を介して外部通信端末Ａに送信する（Ｓ３３）。以下、前記Ｓ９乃至Ｓ１３の処理動作を行う。
【００４０】
なお、本実施形態では、ＰＳＴＮ１７を介して外部通信端末Ａに音声メッセージを送信して異常発生を通知する場合について説明したが、外部に異常発生を通知することができれば、通知手段はこれに限定されるものではなく、例えば、異常発生を通知するためのメッセージが本文に記載されたメールを作成し、これに集音器１６で集音した音声信号を所定のファイル形式で添付し、ルータ２１を介してメールを受信可能な外部通信端末に送信して異常発生を通知したり、無線で異常発生を通知することも可能である。また、同様に、画像撮影装置Ｂが撮影した画像データをメールに添付して外部通信端末に送信することも可能である。更に又、通信端末装置１と外部ＰＣをＬＡＮ１８を介してピアツーピア（peer to peer）で接続し、集音器１６が集音する音声信号や画像撮影装置Ｂが撮影する画像データを所定の形式でストリーミング配信するようにしてもよい。
【産業上の利用可能性】
【００４１】
本発明は、例えば、モデムを備えた通信端末装置に適用することができる。
【図面の簡単な説明】
【００４２】
【図１】本発明の実施形態に係る通信端末装置の構成例を示す図である。
【図２】本発明の実施形態に係る通信端末装置のＮＣＵの構成例を示す図である。
【図３】本発明の実施形態に係る通信端末装置が防犯モードの際に実行する処理動作を示したフローチャートである。
【図４】本発明の実施形態に係る通信端末装置が防犯モードの際に実行する処理動作を示したフローチャートである。
【図５】本発明の実施形態に係る通信端末装置が防犯モードの際に実行する処理動作を示したフローチャートである。
【符号の説明】
【００４３】
１    通信端末装置
２    制御部
３    ＲＯＭ
１０    通信部
１１    ＲＡＭ
１４    ＮＣＵ
１５    モデム
１６    集音器
１７    ＰＳＴＮ
２５    第１スイッチ
２６    第２スイッチ
２７    第３スイッチ
２８    呼出検出装置
Ａ    外部通信端末
Ｂ    画像撮影装置
【図１】
2005354352.tif 000003
【図２】
2005354352.tif 000004
【図３】
2005354352.tif 000005
【図４】
2005354352.tif 000006
【図５】
2005354352.tif 000007